【手続補正書】
【提出日】平成26年2月3日(2014.2.3)
【手続補正１】
【補正対象書類名】特許請求の範囲
【補正対象項目名】全文
【補正方法】変更
【補正の内容】
【特許請求の範囲】
【請求項１】
複数の検索対象毎に、前記検索対象を構成する各要素をそれぞれ表す複数のパーツ画像を表示部に表示させる表示制御部と、
前記表示部に表示された前記パーツ画像に対するユーザのフィードバック操作に応じて、前記ユーザが所望する検索対象を検索するための検索用情報を生成する生成部と、
前記検索用情報に基づき得られる前記検索対象の検索結果に基づいて、前記表示部の表示を更新する表示更新部と
を含む表示制御装置。
【請求項２】
前記表示制御部は、
前記検索対象の各要素毎に、異なる前記検索対象の前記パーツ画像を第１の方向に配置し、
前記複数の検索対象毎に、異なる要素の前記パーツ画像を、前記第１の方向とは異なる第２の方向に配置して表示させる
請求項１に記載の表示制御装置。
【請求項３】
前記表示制御部は、
前記検索対象と前記ユーザの嗜好とが適合する程度を表す対象適合度が高い前記検索対象の順序で、異なる前記検索対象の前記パーツ画像を第１の方向に配置し、
前記検索対象の各要素の重要度が高い前記要素の順序で、異なる要素の前記パーツ画像を、前記第２の方向に配置して表示させる
請求項２に記載の表示制御装置。
【請求項４】
前記パーツ画像に対する前記フィードバック操作が行われた回数に基づいて、前記パーツ画像に対応する要素の前記重要度を算出する重要度算出部を
さらに含む請求項３に記載の表示制御装置。
【請求項５】
前記検索用情報を検索装置に送信する送信部をさらに含み、
前記表示更新部は、前記検索用情報に基づき前記検索装置から得られる前記検索対象の検索結果に基づいて、前記表示部の表示を更新する
請求項１乃至４のいずれかに記載の表示制御装置。
【請求項６】
前記表示制御部は、
前記検索対象を構成する各要素のうち、ユーザの削除操作により指示された要素を表すパーツ画像を削除して表示させないようにし、
前記検索対象を構成する各要素のうち、ユーザの追加操作により指示された要素を表すパーツ画像を追加して表示させる
請求項１乃至５のいずれかに記載の表示制御装置。
【請求項７】
前記表示更新部は、
前記検索用情報に基づいて、前記検索対象の各要素毎に、前記要素と前記ユーザの嗜好とが適合する程度を表すパーツ適合度を算出するパーツ適合度算出部と、
前記パーツ適合度に基づいて、前記検索対象と前記ユーザの嗜好とが適合する程度を表す対象適合度を算出する対象適合度算出部と、
前記対象適合度に基づいて、前記ユーザが所望する検索対象を検索する検索部と、
前記検索部の検索により得られる前記検索対象の検索結果に基づいて、前記表示部の表示を更新する更新部と
を有する請求項１乃至６のいずれかに記載の表示制御装置。
【請求項８】
前記パーツ適合度算出部は、第１の前記検索対象において所定の要素を表す第１のパーツ画像が存在しない場合、前記第１の検索対象とは異なる第２の前記検索対象において前記所定の要素を表す第２のパーツ画像のパーツ適合度に基づいて、前記第１のパーツ画像のパーツ適合度を算出する
請求項７に記載の表示制御装置。
【請求項９】
前記対象適合度算出部は、前記検索対象の各要素毎の前記パーツ適合度と、前記検索対象の各要素毎の前記重要度に応じた重みとの積和演算結果を、前記対象適合度として算出する
請求項７または８に記載の表示制御装置。
【請求項１０】
画像の表示を制御する表示制御装置の表示制御方法において、
前記表示制御装置による、
複数の検索対象毎に、前記検索対象を構成する各要素をそれぞれ表す複数のパーツ画像を表示部に表示させる表示制御ステップと、
前記表示部に表示された前記パーツ画像に対するユーザのフィードバック操作に応じて、前記ユーザが所望する検索対象を検索するための検索用情報を生成する生成ステップと、
前記検索用情報に基づき得られる前記検索対象の検索結果に基づいて、前記表示部の表示を更新する表示更新ステップと
を含む表示制御方法。
【請求項１１】
コンピュータに、
複数の検索対象毎に、前記検索対象を構成する各要素をそれぞれ表す複数のパーツ画像を表示部に表示させる表示制御ステップと、
前記表示部に表示された前記パーツ画像に対するユーザのフィードバック操作に応じて、前記ユーザが所望する検索対象を検索するための検索用情報を生成する生成ステップと、
前記検索用情報に基づき得られる前記検索対象の検索結果に基づいて、前記表示部の表示を更新する表示更新ステップと
を含む処理を実行させるためのプログラム。
【請求項１２】
複数の検索対象毎に、前記検索対象を構成する各要素をそれぞれ表す複数のパーツ画像を表示部に表示させる表示制御装置から、前記表示部に表示された前記パーツ画像に対するユーザのフィードバック操作に応じて生成された検索用情報を受信する受信部と、
前記検索用情報に基づいて、前記検索対象の各要素毎に、前記要素と前記ユーザの嗜好とが適合する程度を表すパーツ適合度を算出するパーツ適合度算出部と、
前記パーツ適合度に基づいて、前記検索対象と前記ユーザの嗜好とが適合する程度を表す対象適合度を算出する対象適合度算出部と、
前記対象適合度に基づいて、前記ユーザが所望する検索対象を検索する検索部と
を含む検索装置。
【請求項１３】
前記パーツ適合度算出部は、第１の前記検索対象において所定の要素を表す第１のパーツ画像が存在しない場合、前記第１の検索対象とは異なる第２の前記検索対象において前記所定の要素を表す第２のパーツ画像のパーツ適合度に基づいて、前記第１のパーツ画像のパーツ適合度を算出する
請求項１２に記載の検索装置。
【請求項１４】
前記対象適合度算出部は、前記検索対象の各要素毎の前記パーツ適合度と、前記検索対象の各要素毎の重要度に応じた重みとの積和演算結果を、前記対象適合度として算出する
請求項１２または１３に記載の検索装置。
【請求項１５】
複数の検索対象の中から、ユーザが所望するものを検索する検索装置の検索方法において、
前記検索装置による、
複数の検索対象毎に、前記検索対象を構成する各要素をそれぞれ表す複数のパーツ画像を表示部に表示させる表示制御装置から、前記表示部に表示された前記パーツ画像に対するユーザのフィードバック操作に応じて生成された検索用情報を受信する受信ステップと、
前記検索用情報に基づいて、前記検索対象の各要素毎に、前記要素と前記ユーザの嗜好とが適合する程度を表すパーツ適合度を算出するパーツ適合度算出ステップと、
前記パーツ適合度に基づいて、前記検索対象と前記ユーザの嗜好とが適合する程度を表す対象適合度を算出する対象適合度算出ステップと、
前記対象適合度に基づいて、前記ユーザが所望する検索対象を検索する検索ステップと
を含む検索方法。
【請求項１６】
コンピュータに、
複数の検索対象毎に、前記検索対象を構成する各要素をそれぞれ表す複数のパーツ画像を表示部に表示させる表示制御装置から、前記表示部に表示された前記パーツ画像に対するユーザのフィードバック操作に応じて生成された検索用情報の受信を制御させる受信制御ステップと、
前記検索用情報に基づいて、前記検索対象の各要素毎に、前記要素と前記ユーザの嗜好とが適合する程度を表すパーツ適合度を算出するパーツ適合度算出ステップと、
前記パーツ適合度に基づいて、前記検索対象と前記ユーザの嗜好とが適合する程度を表す対象適合度を算出する対象適合度算出ステップと、
前記対象適合度に基づいて、前記ユーザが所望する検索対象を検索する検索ステップと
を含む処理を実行させるためのプログラム。
【請求項１７】
ネットワークを介して通信するユーザ端末とサーバにより構成される通信システムにおいて、
前記ユーザ端末は、
複数の検索対象毎に、前記検索対象を構成する各要素をそれぞれ表す複数のパーツ画像を表示部に表示させる表示制御部と、
前記表示部に表示された前記パーツ画像に対するユーザのフィードバック操作に応じて、前記ユーザが所望する検索対象を検索するための検索用情報を生成する生成部と、
前記検索用情報を、前記ネットワークを介して前記サーバに送信する送信部と、
前記検索用情報に基づき前記サーバから前記ネットワークを介して得られる前記検索対象の検索結果に基づいて、前記表示部の表示を更新する表示更新部と
を含み、
前記サーバは、
前記ユーザ端末からの前記検索用情報を受信する受信部と、
前記検索用情報に基づいて、前記検索対象の各要素毎に、前記要素と前記ユーザの嗜好とが適合する程度を表すパーツ適合度を算出するパーツ適合度算出部と、
前記パーツ適合度に基づいて、前記検索対象と前記ユーザの嗜好とが適合する程度を表す対象適合度を算出する対象適合度算出部と、
前記対象適合度に基づいて、前記ユーザが所望する検索対象を検索する検索部と
を含む
通信システム。